(57)【要約】【課題】コネクタ単体の状態で有効に作用しコンタクトの強い引き抜き力に抵抗するランスを備えたコネクタハウジングおよびコネクタを提供する。【解決手段】ランス２０は、押圧部２１と、座屈抵抗部２２と、座屈部２３とを有する。押圧部２１は、自由端２０Ｂ側に設けられ、コンタクト１０に後方に引き抜かれる向きの力が作用したときにコンタクト１０で押される。座屈部２３は、押圧部２１に所定の許容限界を超える力が加わったときに座屈する。また、座屈抵抗部２２は、押圧部２１と座屈部２３との間に設けられている。この座屈抵抗部２２は、押圧部２１側の座屈を抑えつつ座屈部２３側の座屈を許容する。【選択図】図１
2020102338.tif 000002
【特許請求の範囲】
【請求項１】
コンタクトが挿し込まれる向きの前方に向かって片持ち梁形状に延び、挿し込まれたコンタクトに係合して該コンタクトの後方への抜けを抑えるランスを有するコンタクトハウジングであって、
前記ランスが、
自由端側に設けられた、挿し込まれたコンタクトに後方に引き抜かれる向きの力が作用したときにコンタクトにより押される押圧部と、
該押圧部よりも固定端側に設けられた、前記押圧部に所定の許容限界を超える力が加わったときに座屈する座屈部と、
前記押圧部と前記座屈部との間に設けられた、該押圧部側の座屈を抑えつつ該座屈部側の座屈を許容する座屈抵抗部とを有することを特徴とするコネクタハウジング。
【請求項２】
前記座屈部の、前後方向に延びる前記コンタクト側を向いた面が、前後方向に関し該コンタクトから離れる向きに凹形に屈曲した面であり、
前記座屈抵抗部の、前後方向に延びる前記コンタクトとは反対側を向いた面が、前後方向に関し該コンタクトに近づく向きに凹形に屈曲した面であることを特徴とする請求項１に記載のコネクタハウジング。
【請求項３】
請求項１または２に記載のコネクタハウジングと、該コネクタハウジングに挿し込まれたコンタクトとを有することを特徴とするコネクタ。
【発明の詳細な説明】
【技術分野】
【０００１】
本発明は、コンタクトの後方への抜けを防止するランスを有するコンタクトハウジングおよびコネクタに関する。
【背景技術】
【０００２】
電線に接続されたコンタクトがハウジング内に配置されたコネクタの場合において、その電線に、コンタクトを引き抜く向きの力が加わることがある。上記のランスは、そのような力に抵抗してコンタクトが引き抜かれるのを防止する。このようなランスをコネクタハウジングに備えたコネクタにおいて、寸法等の制約の中で、強い引き抜き力にどれだけ耐えることができるかが問題となる。
【０００３】
ここで、特許文献１には、ハウジングに備えられたランスの変形防止機能を備えた電気コネクタが開示されている。
【先行技術文献】
【特許文献】
【０００４】
【特許文献１】特開２０１０−１０３０４９号公報
【発明の概要】
【発明が解決しようとする課題】
【０００５】
上掲の特許文献１に開示されたランスの変形防止機能は、相手コネクタの存在に依存している。すなわち、この変形防止機能は相手コネクタと嵌合した状態において有効に作用するものであって、非嵌合状態のコネクタ単体ではランスの変形防止機能が低い。
【０００６】
本発明は、コネクタ単体の状態で有効に作用し強い力に抵抗するランスを備えたコネクタハウジングおよびコネクタを提供することを目的とする。
【課題を解決するための手段】
【０００７】
上記目的を達成する本発明のコネクタハウジングは、
コンタクトが挿し込まれる向きの前方に向かって片持ち梁形状に延び、挿し込まれたコンタクトに係合してコンタクトの後方への抜けを防止するランスを有するコンタクトハウジングであって、
上記ランスが、
自由端側に設けられた、挿し込まれたコンタクトに後方に引き抜かれる向きの力が作用したときにコンタクトにより押される押圧部と、
その押圧部よりも固定端側に設けられた、押圧部に所定の許容限界を超える力が加わったときに座屈する座屈部と、
押圧部と座屈部との間に設けられた、押圧部側の座屈を抑えつつ座屈部側の座屈を許容する座屈抵抗部とを有することを特徴とする。
【０００８】
本発明のコネクタハウジングは、押圧部と座屈部との間に座屈抵抗部が設けられている。この座屈抵抗部が設けられていることにより、この座屈抵抗部が設けられていない構造のランスと比べ、コンタクトの引き抜きの向きの大きな力に耐えることができる。
【０００９】
ここで、本発明のコネクタハウジングにおいて、
座屈部の、前後方向に延びるコンタクト側を向いた面が、前後方向に関しコンタクトから離れる向きに凹形に屈曲した面であり、
座屈抵抗部の、前後方向に延びるコンタクトとは反対側を向いた面が、前後方向に関しコンタクトに近づく向きに凹形に屈曲した面であることが好ましい。
【００１０】
座屈部のコンタクト側を向いた面が上記の凹形に屈曲した面であることで、許容限界を超える力が加わったときにはこの座屈部に座屈を誘い込んでこの座屈部を座屈させることができる。また、座屈抵抗部の、コンタクトとは反対側を向いた面が、上記の凹形に屈曲した面であることで、座屈部が座屈したときにその座屈が座屈抵抗部よりも押圧部側にまで及ぶのが抑えられる。
【００１１】
また、上記目的を達成する本発明のコネクタは、本発明のコネクタハウジングと、そのコネクタハウジングに挿し込まれたコンタクトとを有することを特徴とする。
【発明の効果】
【００１２】
以上の本発明によれば、コネクタ単体の状態で有効に作用し強い力に抵抗するランスを備えたコネクタハウジングおよびコネクタが実現する。
【図面の簡単な説明】
【００１３】
【図１】本発明のコネクタの一実施形態における、コネクタハウジングに設けられたランスとコンタクトとを示した模式図である。
【発明を実施するための形態】
【００１４】
以下、本発明の実施の形態について説明する。
【００１５】
図１は、本発明のコネクタの一実施形態における、コネクタハウジングに設けられたランスとコンタクトとを示した模式図である。コネクタハウジングは、ここに示した形状のランスを備えていればよく、その全体の形状および構造を問うものではない。したがって、ここではコネクタハウジングの全体の図示および説明は省略する。
【００１６】
この図１では、ランスにハッチングが付されている。このハッチングは、ランスの断面を意味するものではなく、ランスの形状を分かり易く示すためである。
【００１７】
雌型のコンタクト１０が、コネクタハウジングに、矢印Ｆで示す向きに挿し込まれる。すると、この図１に示すように、その挿し込まれたコンタクト１０と、コネクタハウジングと一体にコネクタハウジングに設けられたランス２０とが係合する。このコンタクト１０には、不図示の電線が接続されていて、その電線は、図示の矢印Ｒ側に延びている。また、ランス２０は、矢印Ｒで示す後方に固定端２０Ａを有し、矢印Ｆで示す前方に向かって片持ち梁形状に延びて、その延びた前端部分に自由端２０Ｂを有する。
【００１８】
ここで、コンタクトに接続された電線に、コンタクト１０をコネクタハウジングから引き抜く向き（矢印Ｒで示す向き）の力が加わったとする。ランス２０は、コンタクト１０にそのような力が加わったときに、コンタクト１０の、後方（矢印Ｒで示す向き）への抜けを抑える。ここでは、そのランス２０に、許容限界を超える力が加わった場合について説明する。
【００１９】
本実施形態におけるランス２０は、押圧部２１と、座屈抵抗部２２と、座屈部２３とを有する。
【００２０】
押圧部２１は、自由端２０Ｂ側に設けられている。そして、この押圧部２１は、コンタクト１０に後方（矢印Ｒで示す向き）に引き抜かれる向きの力が作用したときに、そのコンタクト１０で押される。この押圧部２１は、そのような力が作用する前はコンタクトから離れていてもよく、あるいは、そのような力が作用する前からコンタクト１０に接していてもよい。
【００２１】
次に、座屈部２３について先に説明する。座屈部２３は、押圧部２１よりも固定端２０Ａ側に設けられている。そして、押圧部２１に所定の許容限界を超える力が加わったときに座屈する。ここで、この座屈部２３の、矢印Ｆ−Ｒで示す前後方向に延びるコンタクト１０側を向いた面２０Ｃが、前後方向に関しコンタクト１０から離れる向きに凹形に屈曲した面となっている。すなわち、この座屈部２３は、面２０Ｃに第１の屈曲部２３１を有する。ただし、この第１の屈曲部２３１は、図１の紙面に垂直な向きに延びる折れ曲がり線である必要はなく、前後方向に関しＲ面となっていてもよい。この座屈部２３は、この第１の屈曲部２３１を有することにより、ランス２０の押圧部２１が許容限界を超える力で押されたときに座屈を誘発する形状となっている。
【００２２】
また、座屈抵抗部２２は、矢印Ｆ−Ｒで示す前後方向に関し、押圧部２１と座屈部２３との間に設けられている。この座屈抵抗部２２は、この座屈抵抗部２２よりも押圧部２１側の座屈を抑えつつこの座屈抵抗部２２よりも座屈部２３側の座屈を許容する。ここで、この座屈抵抗部の、矢印Ｆ−Ｒで示す前後方向に延びる、コンタクト１０とは反対側を向いた面２０Ｄが、前後方向に関しコンタクト１０に近づく向きに凹形に屈曲した面となっている。すなわち、この座屈抵抗部２２は、面２０Ｄに第２の屈曲部２２１を有する。ただし、この第２の屈曲部２２１は、第１の屈曲部２３１と同様、図１の紙面に垂直な向きに延びる折れ曲がり線である必要はなく、前後方向に関しＲ面となっていてもよい。この座屈抵抗部２２は、この第２の屈曲部２２１を有することにより、ランス２０の押圧部２１が許容限界を超える力で押されたときにコンタクト１０に近づく向きに座屈しやすくなっている。座屈抵抗部２２は、第２の屈曲部２２１を有することにより、座屈部２３が座屈したときに、その座屈が押圧部２１側に及ぶのを抑えている。
【００２３】
ここでランス２０の厚み方向のほぼ中央に、図１に一点鎖線で示した線Ｌ１を描いたことを考える。押圧部２１に許容限界を超える力が加わり、座屈部２３が座屈すると、その線Ｌ１は、点線で示した線Ｌ２のように変形する。すなわち、座屈部２３の座屈は、座屈抵抗部２２までは及ぶが、その座屈抵抗部２２で食い止められて、押圧部２１にまで及ぶことが抑えられる。この場合、コンタクト１０の抜けについては、前後方向についての長さｄ１に亘る広いせん断面積で抵抗することになる。
【００２４】
ここで、座屈抵抗部２２が存在しないランスについて考察する。ここでは、この、座屈抵抗部２２が存在しないランスについても、座屈抵抗部２２が存在するランス２０と同じ符号を付して説明する。この図１には、座屈抵抗部２２が存在しないランス２０の、座屈部２３が座屈したときの先端部分が２点鎖線で示されている。ここには、線Ｌ１，Ｌ２に対応する線Ｌ３が２点鎖線で示されている。座屈抵抗部２２が存在しないランス２０において座屈部２３が座屈すると、図１に２点鎖線の線Ｌ３で示すように、その座屈は押圧部２１にまで及ぶ。この場合、コンタクト１０の抜けについては、前後方向についての長さｄ２に亘る狭いせん断面積で抵抗することになる。すなわち、座屈抵抗部２２が存在するランス２０と比べ、コンタクト１０は、小さい引き抜き力で引き抜かれることになる。
【００２５】
このように、本実施形態の場合、押圧部２１と座屈部２３との間に座屈抵抗部２２が設けられていることにより、強い引き抜き力まで耐えることができる。
【符号の説明】
【００２６】
１０    コンタクト
２０    ランス
２０Ａ  固定端
２０Ｂ  自由端
２０Ｃ  コンタクト側を向いた面
２０Ｄ  コンタクトとは反対側を向いた面
２１    押圧部
２２    座屈抵抗部
２２１  第１の屈曲部
２３    座屈部
２３１  第２の屈曲部
【図１】
2020102338.tif 000003